【手続補正書】
【提出日】平成17年9月22日(2005.9.22)
【手続補正１】
【補正対象書類名】特許請求の範囲
【補正対象項目名】全文
【補正方法】変更
【補正の内容】
【特許請求の範囲】
【請求項１】
長さを人の腰幅又は肩幅ほどの寸法にした硬質プラスチック管、硬質繊維質類合成管又は硬質アルミ管等の材質から成る軽量硬質円筒管の支柱３の円外周全面に発泡ウレタン等のスポンジ類又は綿等から成るクッション材４を巻き付けた後に、これを毛布又は厚手の敷パット等から成る敷物５の片側端で覆い包み、その端末と交わった所Ｂ、を縫いつけ又は、接着固定した支柱入り軽量円筒足枕６を形成し、その円筒足枕６の両側面Ｃ１，Ｃ２は支柱３の長さよりも広くした敷物５の部分を耳として折り曲げた後、縫い付け又は接着固定するか、別の単生地をあてがい固定して仕上げ、その敷物全体の長さＤを、人の身長ほどにした多機能寝具の製造方法。
【請求項２】
円筒足枕６を形成した敷物５のもう一方の片側端Ｅ近傍に人の腰くぼみＦにおおよそ合せた大きさのクッション材を設置し敷物５で覆い包み、その端末と交わった所Ｇを縫い付け又は、接着固定した腰枕７を設けた事を特徴とした請求項１記載の多機能寝具の製造方法。
【請求項３】
長さを人の腰幅又は肩幅ほどの寸法にした硬質プラスチック管、硬質繊維質類合成管又は硬質アルミ管等の材質から成る軽量硬質円筒管の支柱３の円外周全面に発泡ウレタン等のスポンジ類又は綿等から成るクッション材４を巻き付け、これを毛布又は厚手の敷パット等から成る敷物５の片側端で覆い包み、その端末と交わった所Ｂ、を縫いつけ又は、接着固定した支柱入り軽量円筒足枕６を形成し、その円筒足枕６の両側面Ｃ１，Ｃ２は支柱３の長さよりも広くした敷物５の部分を耳として折り曲げた後、縫い付け又は接着固定するか、別の単生地をあてがい固定して仕上げ、その敷物全体の長さＤを、人の身長ほどにした多機能寝具。
【請求項４】
円筒足枕６を形成した敷物５のもう一方の片側端Ｅ近傍に人の腰くぼみＦにおおよそ合せた大きさのクッション材を設置し敷物５で覆い包み、その端末と交わった所Ｇを縫い付け又は、接着固定した腰枕７を設けた事を特徴とした請求項３記載の多機能寝具。
【手続補正２】
【補正対象書類名】明細書
【補正対象項目名】発明の名称
【補正方法】変更
【補正の内容】
【発明の名称】      多機能寝具及びその製造方法
【手続補正３】
【補正対象書類名】明細書
【補正対象項目名】０００１
【補正方法】変更
【補正の内容】
【０００１】  この発明は、人が寝ている姿勢のまま、自分で足枕を好みの位置に自由に設置したり、位置を変えることを繰り返し使用ができ、その外形寸法を変える事ができ且つ、足枕、腰枕、及び尻座布団を自分の思いに組み合わせ、併用する事が出来る一つの一体の多機能寝具及びその製造方法に関するものである。
【手続補正４】
【補正対象書類名】明細書
【補正対象項目名】０００３
【補正方法】変更
【補正の内容】
【０００３】  又、特開２００３−２７５０８２ではシートの一端に足枕を構成しているが、その構造は３枚の布を使い一体構造にし且つ、その足枕にクッション材又は枕や座布団等のものを入れているだけで、足枕に支柱がない為、寝ている姿勢のままで、自分の足で足枕の位置を自由に変えたり、不要な時にはずし又、使用したりする事が繰り返し容易に出来ない。そして、寝ている姿勢のままで、足枕の外径寸法を大きくしたり、小さくしたり容易に出来ない、さらに一つの一体寝具で足枕以外に腰枕、尻座布団等をその時の体調で好みに合わせた複合利用ができないものである。又、公開実用新案公報昭６２−２００９６０に於いては、敷布団と一体的構成した、かまぼこ形の足枕に硬度のある発泡スチロールの如き素材を入れているが、その構造、製造方法及び効果が全く違う物であり、いままでにこれらの事を達成できる安価な物がなく且つ、製造方法もなかった。
【手続補正５】
【補正対象書類名】明細書
【補正対象項目名】０００６
【補正方法】変更
【補正の内容】
【０００６】本発明は、上記の課題を解決する為に、長さを人の腰幅又は肩幅ほどの寸法にした硬質プラスチック管、硬質繊維質類合成管又は硬質アルミ管等の材質から成る軽量硬質円筒管の支柱３の円外周全面に発泡ウレタン等のスポンジ類又は綿等から成るクッション材４を巻き付けた後に、これを毛布又は厚手の敷パット等から成る敷物５の片側端で覆い包み、その端末と交わった所Ｂ、を縫いつけ又は、接着固定した支柱入り軽量円筒足枕６を形成し、その円筒足枕６の両側面Ｃ１，Ｃ２は支柱３の長さよりも広くした敷物５の部分を耳として折り曲げた後、縫い付け又は接着固定するか、別の単生地をあてがい固定して仕上げ、その敷物全体の長さＤを、人の身長ほどにした多機能寝具の製造方法。
【手続補正６】
【補正対象書類名】明細書
【補正対象項目名】０００７
【補正方法】変更
【補正の内容】
【０００７】円筒足枕６を形成した敷物５のもう一方の片側端Ｅ近傍に人の腰くぼみＦにおおよそ合せた大きさのクッション材を設置し敷物５で覆い包み、その端末と交わった所Ｇを縫い付け又は、接着固定した腰枕７を設けた事を特徴とした請求項１記載の多機能寝具の製造方法。
【手続補正７】
【補正対象書類名】明細書
【補正対象項目名】０００８
【補正方法】変更
【補正の内容】
【０００８】長さを人の腰幅又は肩幅ほどの寸法にした硬質プラスチック管、硬質繊維質類合成管又は硬質アルミ管等の材質から成る軽量硬質円筒管の支柱３の円外周全面に発泡ウレタン等のスポンジ類又は綿等から成るクッション材４を巻き付け、これを毛布又は厚手の敷パット等から成る敷物５の片側端で覆い包み、その端末と交わった所Ｂ、を縫いつけ又は、接着固定した支柱入り軽量円筒足枕６を形成し、その円筒足枕６の両側面Ｃ１，Ｃ２は支柱３の長さよりも広くした敷物５の部分を耳として折り曲げた後、縫い付け又は接着固定するか、別の単生地をあてがい固定して仕上げ、その敷物全体の長さＤを、人の身長ほどにした多機能寝具。
【手続補正８】
【補正対象書類名】明細書
【補正対象項目名】０００９
【補正方法】変更
【補正の内容】
【０００９】円筒足枕６を形成した敷物５のもう一方の片側端Ｅ近傍に人の腰くぼみＦにおおよそ合せた大きさのクッション材を設置し敷物５で覆い包み、その端末と交わった所Ｇを縫い付け又は、接着固定した腰枕７を設けた事を特徴とした請求項３記載の多機能寝具。
【手続補正９】
【補正対象書類名】明細書
【補正対象項目名】００１０
【補正方法】変更
【補正の内容】
【００１０】前記の円筒足枕を自分の足先で、手前に回転させる事により、円筒足枕の位置をアキレス腱の下、脹脛の下、足立て位置、膝の下等、自由な位置に容易に変化させる事ができ、且つ、手前に回転するごとに厚手の敷物が円筒足枕の外周に巻かれ円筒足枕の外形寸法がアキレス腱の下、脹脛の下、膝の下の順に大きくなり使用上、非常に楽な状態になる。もし、円筒足枕を不用とする時は、寝ているままの状態で円筒足枕を足先で回転させて、元の位置の戻す。この場合、円筒足枕は敷物と一体になっている為、再使用したい場合でも円筒足枕が足の届かない所に移動しない。
【手続補正１０】
【補正対象書類名】明細書
【補正対象項目名】００１１
【補正方法】変更
【補正の内容】
【００１１】  本発明は一つの一体寝具で寝ている姿勢のまま、自分の足で支柱入り軽量円筒足枕の位置を容易に、自由に変える事ができ、且つ、その外径寸法を足位置に適した大きさに簡単に変える事ができ、さらに、その足枕を不要とする時と、再使用する時も同じく寝ている姿勢のまま、自分の足で容易に繰り返す事ができる。
又、敷物を人の身長ほどの長い物にする事により、円筒足枕のある反対側端を丸くまるめ込み腰のくぼみに敷く事により腰枕ができる事を特徴とする。さらに、前記反対側端を約１０ｃｍ〜３０ｃｍ幅ぐらいに２〜４重ね折にして尻の下に敷く事により尻座布団ができる事を特徴とする。
【手続補正１１】
【補正対象書類名】明細書
【補正対象項目名】００１４
【補正方法】変更
【補正の内容】
【００１４】  本発明は支柱（軽量硬質円筒管）、クッション材、縫い合せ糸、又は接着剤から成る円筒足枕材とその円筒足枕材を覆い包む敷物１枚の最小部材で構成した支柱入り軽量円筒足枕と敷物を人の身長ほどの長い物にした事によって実現できた。さらに、敷物で支柱入り円筒足枕のある反対側端に、腰くぼみに合ったクッション材を設置する事により円筒足枕、尻座布団、腰枕の３箇所を同時併用可能にでき、尻座布団の折り曲げ状態（曲げ幅、及び折り返し重ね数）を変える事により、人の身長差を吸収し問題なく使用できる多機能寝具及びその製造方法。
【手続補正１２】
【補正対象書類名】明細書
【補正対象項目名】００１６
【補正方法】変更
【補正の内容】
【００１６】  本実施例は図１，２の如く、長さを人の腰幅又は肩幅ほどの寸法にした硬質プラスチック管、硬質繊維質類合成管又は硬質アルミ管等の材質から成る軽量硬質円筒管の支柱３の円外周全面に発泡ウレタン等のスポンジ類又は綿等から成るクッション材４を巻き付け、これを毛布又は厚手の敷パット等から成る敷物５の片側端で覆い包み、その端末と交わった所Ｂ、を縫いつけ、又は接着固定した支柱入り軽量円筒足枕６を形成し、その円筒足枕６の両側面Ｃ１，Ｃ２は支柱３の長さよりも広くした敷物５の部分を耳として、折り曲げた後縫い付け又は、接着固定するか、別の単生地をあてがい固定して仕上げ、その敷物５全体の長さＤを、人の身長ほどの長い物にした多機能寝具１及びその製造方法。
【手続補正１３】
【補正対象書類名】明細書
【補正対象項目名】００１７
【補正方法】変更
【補正の内容】
【００１７】  他の実施例として、支柱３の円外周全面にクッション材４を巻き付け、ほぼその一回り分の長さの敷物５で外周を覆い包み、その両端末を縫い付け、又は接着固定した単体円筒足枕６ａを図３の如く完成し、その両端末の固定した部分と人の身長ほどの長い単体敷物５ａの片側端とを固定してできた図１と同類の多機能寝具１及びその製造方法も可能。
【手続補正１４】
【補正対象書類名】明細書
【補正対象項目名】００１８
【補正方法】変更
【補正の内容】
【００１８】  次に支柱入り軽量円筒足枕６を形成した敷物５のもう一方の片側端Ｅ近傍に人の腰くぼみＦに、おおよそ合わせた大きさのクッション材を設置し、敷物５で覆い包み、その端末の交わった所Ｇを縫いつけ、又は、接着固定した腰枕７を設けた事を特徴とした図４の多機能寝具２及びその製造方法。
【手続補正１５】
【補正対象書類名】明細書
【補正対象項目名】００２３
【補正方法】変更
【補正の内容】
【００２３】  以上の様に、当発明は使用者の体調及び気分で円筒足枕６の使用有無、位置、及び外形寸法を寝ている姿勢のまま、自分の足で変えることができ、さらに、腰枕７又は８と尻座布団９とを自由に設置、取り外し及び組み合わせ使用ができる一つの一体の多機能寝具１，２及びその製造方法である。